(57)【要約】      （修正有）【課題】ユーザが所定の空間内に赴かなくても、遠隔から所定空間の環境の状態をモニタリングすることができ、かつ、設置コストが低廉なモニタリングシステムを提供する。【解決手段】モニタリングシステム１は、空間５の環境ファクターを計測する環境ファクター計測部１０と、無線を介して環境ファクター計測部が計測する環境ファクターを取得し、環境情報に変換する環境情報変換部と、環境情報に、空間に固有のデータである空間固有データを付与し、監視対象情報を生成する監視対象情報生成部と、監視対象情報を格納する情報格納部１６に、無線を介して監視対象情報を供給する情報送信部と、ユーザ端末２からの要求に応じ、情報格納部に格納されている監視対象情報をユーザ端末に出力させる情報閲覧部２０とを備える。【選択図】図１
0003223758.tif 000002
【実用新案登録請求の範囲】
【請求項１】
所定の空間をモニタリングするモニタリングシステムであって、
前記空間の環境ファクターを計測する環境ファクター計測部と、
無線を介して前記環境ファクター計測部が計測する前記環境ファクターを取得し、環境情報に変換する環境情報変換部と、
前記環境情報に、前記空間に固有のデータである空間固有データを付与し、監視対象情報を生成する監視対象情報生成部と、
前記監視対象情報を格納する情報格納部に、無線を介して前記監視対象情報を供給する情報送信部と、
ユーザ端末からの要求に応じ、前記情報格納部に格納されている前記監視対象情報を前記ユーザ端末に出力させる情報閲覧部と
を備えるモニタリングシステム。
【請求項２】
前記情報格納部及び前記情報閲覧部が、クラウド環境に設けられる請求項１に記載のモニタリングシステム。
【請求項３】
前記空間が、クリーンルーム、クリーンブース、及び恒温恒湿室からなる群から選択される１つの空間であり、
前記環境ファクターが、前記空間中の微粒子の数、温度、湿度、照度、気圧、騒音レベル、臭気、所定のガスの濃度、揮発性有機化合物の濃度、及び加速度からなる群から選択される少なくとも１つの環境ファクターである請求項１又は２に記載のモニタリングシステム。
【考案の詳細な説明】
【技術分野】
【０００１】
本考案は、モニタリングシステムに関する。特に、本考案は、内部環境を所定の状態に保つことが必要な空間のモニタリングシステムに関する。
【背景技術】
【０００２】
従来、吸い込んだ室内空気中の微塵を除去して清浄空気を吹き出す空気浄化機構と、この空気浄化機構の運転を制御する制御部とを備えた空気清浄機において、室内空気中のガス成分を検出するガスセンサと、室内空気中の粒子成分を光学的に検出する散乱光式煙センサとを設けると共に、上記制御部に、電源投入直後の一定時間の間だけ上記散乱光式煙センサの検出信号のみに基づいて上記空気浄化機構の浄化運転の開始、停止を制御する初期制御手段と、浄化運転中に上記散乱光式煙センサのみの検出信号に基づいて上記空気浄化機構の浄化運転を停止させると共に、上記ガスセンサのみが所定時間ガス成分を検出したときに室内を換気するように報知する運転中制御手段を設けた空気清浄機が知られている（例えば、特許文献１参照。）。特許文献１に記載の空気清浄機は、空気中の粒子をセンサで計測し、これに基づいて清浄空気を供給することができる。
【先行技術文献】
【特許文献】
【０００３】
【特許文献１】実公平０８−００４０９２号
【考案の概要】
【考案が解決しようとする課題】
【０００４】
特許文献１に記載されている空気清浄機等に用いられているように、クリーンルーム等の所定の空間において、パーティクルや温度、湿度等が計測されている。しかしながら、所定の空間におけるパーティクルの数や温度、湿度等は、パーティクルセンサや温度センサ、湿度センサ等で計測し、その計測結果をユーザが当該空間に自ら赴き、手書き等のアナログ手段で記録している現状がある。
【０００５】
したがって、本考案の目的は、ユーザが所定の空間内に赴かなくても、遠隔から所定空間の環境の状態をモニタリングすることができ、かつ、設置コストが低廉なモニタリングシステムを提供することにある。
【課題を解決するための手段】
【０００６】
本考案は、上記目的を達成するため、所定の空間をモニタリングするモニタリングシステムであって、空間の環境ファクターを計測する環境ファクター計測部と、無線を介して環境ファクター計測部が計測する環境ファクターを取得し、環境情報に変換する環境情報変換部と、環境情報に、空間に固有のデータである空間固有データを付与し、監視対象情報を生成する監視対象情報生成部と、監視対象情報を格納する情報格納部に、無線を介して監視対象情報を供給する情報送信部と、ユーザ端末からの要求に応じ、情報格納部に格納されている監視対象情報をユーザ端末に出力させる情報閲覧部とを備えるモニタリングシステムが提供される。
【０００７】
また、上記モニタリングシステムにおいて、情報格納部及び情報閲覧部が、クラウド環境に設けられてもよい。
【０００８】
また、上記モニタリングシステムにおいて、空間が、クリーンルーム、クリーンブース、及び恒温恒湿室からなる群から選択される１つの空間であり、環境ファクターが、空間中の微粒子の数、温度、湿度、照度、気圧、騒音レベル、臭気、所定のガスの濃度、揮発性有機化合物の濃度、及び加速度からなる群から選択される少なくとも１つの環境ファクターであってもよい。
【考案の効果】
【０００９】
本考案に係るモニタリングシステムによれば、ユーザが所定の空間内に赴かなくても、遠隔から所定空間の環境の状態をモニタリングすることができ、かつ、設置コストが低廉なモニタリングシステムを提供できる。
【図面の簡単な説明】
【００１０】
【図１】本考案の実施の形態に係るモニタリングシステムの概要図である。
【図２】本考案の実施の形態に係るモニタリングシステムの機能構成ブロック図である。
【図３】本考案の実施の形態に係るモニタリングシステムにおける処理のフロー図である。
【考案を実施するための形態】
【００１１】
＜実施の形態＞
［モニタリングシステム１の概要］
図１は、本考案の実施の形態に係るモニタリングシステムの概要を示す。
【００１２】
本実施の形態に係るモニタリングシステム１は、クリーンルーム等の所定の空間５における微粒子の数や温度、湿度等の環境の状態をモニタリングするシステムである。そして、モニタリングシステム１は、所定の空間５における環境の状態を計測すると共に計測結果をデータベースに蓄積し、データベースに蓄積された計測結果をユーザ端末２において把握することができるシステムである。
【００１３】
具体的にモニタリングシステム１は、所定の空間５内に設置され、空間５内における微粒子の数等の環境ファクターを計測する環境ファクター計測部１０と、環境ファクター計測部１０が計測した環境ファクターを所定の情報（環境情報）に変換し、及び／又は空間５に固有の情報を環境情報に付与するモニタリングユニット３と、モニタリングユニット３から供給される各種情報を格納する情報格納部１６と、ユーザ端末２からの要求に応じ、情報格納部１６に格納されている情報をユーザ端末２に出力させる情報閲覧部２０とを備える。
【００１４】
ここで、環境ファクター計測部１０からモニタリングユニット３への環境ファクターの供給、及び／又はモニタリングユニット３から情報格納部１６への各種情報の供給は、無線を介して実行される。また、情報格納部１６及び／又は情報閲覧部２０は、クラウド環境７に設けられる。そして、ユーザ端末２は、インターネット等の通信ネットワークを介し、情報格納部１６に格納されている情報の閲覧を情報閲覧部２０に要求する。情報閲覧部２０は、この要求に応じ、情報格納部１６に格納されている各種の情報をユーザ端末２に出力させる。これにより、ユーザは、ユーザ端末２を介して空間５内における環境の状態を遠隔から確認することができる。
【００１５】
なお、ユーザ端末２は、携帯電話、スマートフォン、ノートパソコン、タブレット型ＰＣ、デスクトップ型ＰＣ等の情報通信端末である。また、ユーザ端末２とクラウド環境７とは、携帯電話網、及び／又はインターネット等の通信ネットワークで双方向に接続される。この通信ネットワークについては、有線ＬＡＮ及び無線ＬＡＮ等の通信ネットワークや近距離通信網を含むこともできる。
【００１６】
また、環境ファクターとしては、例えば、空間５中の微粒子の数、温度、湿度、照度、気圧、騒音レベル、臭気、所定のガスの濃度、揮発性有機化合物の濃度、及び加速度等が挙げられる。そして、所定の空間５は、例えば、複数の環境ファクターのうち少なくとも１つについて制御されるクリーンルーム、クリーンブース、及び／又は恒温恒湿室等の空間が挙げられる。
【００１７】
［モニタリングシステム１の詳細］
図２は、本考案の実施の形態に係るモニタリングシステムの機能構成の概要の一例を示す。
【００１８】
本実施形態に係るモニタリングシステム１は、環境ファクターを計測する環境ファクター計測部１０と、環境ファクターを環境情報に変換する環境情報変換部１２と、監視対象情報を生成する監視対象情報生成部１４と、監視対象情報を格納する情報格納部１６と、情報格納部１６に監視対象情報を供給する情報送信部１８と、ユーザ端末２に監視対象情報を出力させる情報閲覧部２０とを備える。また、情報閲覧部２０は、所定のアラートをユーザ端末２に通知するアラート通知部２２を有する。環境情報変換部１２、監視対象情報生成部１４、及び／又は情報送信部１８によりモニタリングユニット３が構成される。
【００１９】
なお、上記各構成要素それぞれの機能の全て若しくは一部を、他の構成要素が有するか、別途、独立の構成にしてもよい。例えば、環境情報変換部１２が監視対象情報生成部１４の機能の全て若しくは一部を有していてもよく、監視対象情報生成部１４が環境情報変換部１２の機能の全て若しくは一部を有していてもよい。
【００２０】
（環境ファクター計測部１０）
環境ファクター計測部１０は、空間５の環境ファクターを計測する。環境ファクター計測部１０は、計測した環境ファクターを環境情報変換部１２に無線を介して供給する。環境ファクター計測部１０としては、各種のセンサを用いることができる。
【００２１】
例えば、環境ファクターが空間５中の微粒子の数である場合、環境ファクター計測部１０としてはパーティクルカウンターを用いることができる。また、環境ファクターが温度の場合、環境ファクター計測部１０としては温度センサを用いることができ、環境ファクターが湿度の場合、環境ファクター計測部１０としては湿度センサを用いることができる。同様に、環境ファクターが照度、気圧、騒音レベル、臭気、所定のガス濃度、揮発性有機化合物の濃度、及び加速度の場合、環境ファクター計測部１０としてはそれぞれ、照度計、気圧計、音センサ（騒音センサ）、臭気センサ、所定のガスに対応したガスセンサ、ＶＯＣ（揮発性有機化合物）センサ、及び加速度センサを用いることができる。
【００２２】
なお、本実施形態において環境ファクター計測部１０は空間５内に設置される。環境ファクター計測部１０が複数存在する場合、複数の環境ファクター計測部１０のそれぞれから、無線を介して環境情報変換部１２に環境ファクターが供給される。一方、他の構成要素は空間５内、又は空間５外に設置される。また、環境ファクターは、アナログデータ、若しくはデジタルデータのいずれであってもよい。
【００２３】
（環境情報変換部１２）
環境情報変換部１２は、無線を介し、環境ファクター計測部１０が計測した環境ファクターを取得する。そして、環境情報変換部１２は、環境ファクターを環境情報に変換する。具体的に、環境情報変換部１２は、環境ファクターをアナログデータとして受け取った場合、当該アナログデータをＡＤ変換する。そして、環境情報変換部１２は、ＡＤ変換して得られるデジタルデータに、情報格納部１６において採用されているデータベースの形式に合わせた整形処理を施すことで環境情報を生成する。また、環境情報変換部１２は、環境ファクターをデジタルデータとして受け取った場合、当該デジタルデータに、情報格納部１６において採用されているデータベースの形式に合わせた整形処理を施すことで環境情報を生成する。環境情報変換部１２は、環境情報を監視対象情報生成部１４に供給する。
【００２４】
（監視対象情報生成部１４）
監視対象情報生成部１４は、環境情報に、空間５に固有のデータである空間固有データを付与し、監視対象情報を生成する。空間固有データとは、空間５を識別するデータ（例えば、空間５を一意に識別する空間ＩＤや空間５の名称、空間５の位置情報等）、環境ファクターを取得した年月日、時分秒等のデータである。監視対象情報生成部１４は、生成した監視対象情報を情報送信部１８に供給する。
【００２５】
（情報格納部１６）
情報格納部１６は、各種の情報を格納する。具体的に、情報格納部１６は、監視対象情報を空間ＩＤに対応付けて格納する。一例として、情報格納部１６は、空間５を識別する空間ＩＤに、他の空間固有データ（例えば、空間５の名称や位置情報等）、監視対象情報、この監視対象情報が取得された年月日・時分秒、及び／又はアラート情報等を対応付けて格納する。情報格納部１６は、情報閲覧部２０からの働きかけに応じ、所定の情報を情報閲覧部２０に供給する。
【００２６】
（情報送信部１８）
情報送信部１８は、無線を介し、監視対象情報生成部１４が生成した監視対象情報を情報格納部１６及び／又はアラート通知部２２に供給する。情報格納部１６は、情報送信部１８から受け取った監視対象情報を格納する。
【００２７】
（情報閲覧部２０）
情報閲覧部２０は、ユーザ端末２からの要求に応じ、情報格納部１６に格納されている監視対象情報をユーザ端末２にユーザが知覚可能に出力させる。具体的に、情報閲覧部２０は、ユーザ端末２に監視対象情報を表示させるアプリケーション若しくは当該アプリケーション機能を有したアプリケーションサーバである。ユーザ端末２が通信ネットワークを介して情報閲覧部２０に監視対象情報の閲覧を要求すると、情報閲覧部２０は情報格納部１６から要求に対応する監視対象情報を、無線を介して取得する。そして、情報閲覧部２０は、取得した監視対象情報をユーザ端末２に表示させるための表示情報、及び／又は監視対象情報に含まれる各種の数値情報等をユーザ端末２に供給し、ユーザ端末２に監視対象情報を出力させる。
【００２８】
例えば、情報閲覧部２０は、監視対象情報を数値、及び／又は図表やグラフとしてユーザ端末２に出力させる。一例として、情報閲覧部２０は、時系列に沿って変化する監視対象情報のグラフをユーザ端末２に出力させる。
【００２９】
（アラート通知部２２）
アラート通知部２２は、アラート情報をユーザ端末２に出力させる。まず、アラート通知部２２は、監視対象情報に含まれる環境情報を参照し、環境ファクター計測部１０が予め定められた条件を満たす環境ファクターを計測した場合、アラート情報を生成する。例えば、環境ファクターが微粒子の数である場合において環境ファクター計測部１０が計測した微粒子の数が予め定められた数を超えることを示す場合、アラート通知部２２は、微粒子の数が予め定められた数を超えたことを示すアラート情報を生成する。環境ファクターが他のファクターである場合も、アラート通知部２２は同様の情報を生成する。
【００３０】
そして、アラート通知部２２は、生成したアラート情報を、無線を介して情報格納部１６に供給する。情報格納部１６は、情報送信部１８から受け取った監視対象情報と共にアラート通知部２２が生成したアラート情報を格納する。一方、アラート通知部２２は、生成した情報を、即座に、若しくは所定の期間内にユーザ端末２に供給することができる。
【００３１】
また、アラート通知部２２は、環境ファクター計測部１０が温度及び湿度を環境ファクターとして計測する場合、環境情報変換部１２が変換した環境情報を用いて不快指数を算出し、算出した不快指数をアラート情報に含めてもよい。
【００３２】
［モニタリングシステム１の処理の流れ］
図３は、本実施の形態に係るモニタリングシステムの処理の流れの概要の一例を示す。
【００３３】
まず、クリーンルーム等の空間５内に環境ファクター計測部１０が設置される。そして、環境ファクター計測部１０は、空間５内の環境ファクターを計測する（ステップ１０。以下、ステップを「Ｓ」と表す。）。環境ファクター計測部１０は無線方式の送受信部を有しており、環境ファクター計測部１０の送受信部は、計測した環境ファクターを環境情報変換部１２に無線で供給する。環境情報変換部１２は、受け取った環境ファクターを環境情報に変換する（Ｓ１２）。そして、環境情報変換部１２は、変換して得られた環境情報を監視対象情報生成部１４に供給する。
【００３４】
監視対象情報生成部１４は、環境情報変換部１２から受け取った環境情報に空間固有データを付与することで監視対象情報を生成する（Ｓ１４）。監視対象情報生成部１４は、生成した監視対象情報を情報送信部１８に供給する。
【００３５】
情報送信部１８は、監視対象情報生成部１４から受け取った監視対象情報を情報格納部１６に無線を介して供給する。情報格納部１６は、受け取った監視対象情報を空間ＩＤに対応付けて格納する（Ｓ１６）。また、情報送信部１８は、監視対象情報をアラート通知部２２に供給する。
【００３６】
続いて、情報閲覧部２０は、ユーザ端末２から監視対象情報の閲覧要求がなされた場合（Ｓ１８のＹｅｓ）、情報格納部１６に格納されている当該閲覧要求に対応する監視対象情報を参照若しくは取得し、ユーザ端末２に監視対象情報を出力させる。この場合において、情報閲覧部２０は、ユーザ端末２に出力するために要する各種の情報を生成し、ユーザ端末２に供給する。ユーザ端末２は、この各種の情報に基づいて、監視対象情報を出力する（例えば、ユーザ端末２の表示部等に、監視対象情報のグラフや数値、説明等を描画・出力する。）（Ｓ２０）。
【００３７】
一方、情報閲覧部２０は、ユーザ端末２から監視対象情報の閲覧要求がない場合（Ｓ１８のＮｏ）、閲覧要求を受け付けるまで待機する。
【００３８】
また、アラート通知部２２は、情報送信部１８から受け取った監視対象情報に含まれる環境情報を参照・解析し、環境情報にアラート情報を生成すべき情報が含まれているか否か判断する。そして、アラート通知部２２は、環境情報にアラート情報を生成すべき情報が含まれていると判断した場合、アラート情報を生成する。アラート通知部２２は、生成したアラート情報をユーザ端末２及び／又は情報格納部１６に供給する。情報格納部１６は、受け取ったアラート情報を空間ＩＤに対応付けて格納する。一方、アラート通知部２２は、情報格納部１６にアラート情報を供給する前若しくは後、又は供給すると同時にアラート情報をユーザ端末２に供給し、ユーザ端末２にアラート情報を出力させる。アラート通知部２２は、アラート情報を電子メールの形式でユーザ端末２に供給してもよい。
【００３９】
［実施の形態の効果］
本実施形態に係るモニタリングシステム１は、無線を介し、環境ファクター計測部１０において計測された環境ファクターを環境情報変換部１２が取得する。また、モニタリングシステム１は、情報格納部１６に無線を介して監視対象情報を供給して格納させることができる。これにより、モニタリングシステム１によれば、クリーンルーム等の空間５に新たに有線ＬＡＮを構築することを要さずに空間の監視対象情報をユーザ端末２に出力させることができるので、監視対象情報のモニタリングに要するコストやシステム構築の手間を大幅に削減することができる。
【００４０】
特に、空間５内に複数の環境ファクター計測部１０を設置することを要する場合、有線ＬＡＮによりモニタリングシステムを構築することは工費が膨大になる。しかしながら、本実施形態に係るモニタリングシステム１においては、少なくとも環境ファクター計測部１０とモニタリングユニット３との間、及び／又はモニタリングユニット３とクラウド環境７との間を無線で双方向接続できるので、有線ＬＡＮ等の有線による通信網の構築を要さず、安価にシステム構築することができる。
【００４１】
また、モニタリングシステム１によれば、監視対象情報を自動的、リアルタイムに情報格納部１６に格納し、情報格納部１６に格納された監視対象情報をユーザ端末２から参照することができる。これにより、モニタリングシステム１においては、ユーザがクリーンルーム等の空間５内に設置されている環境ファクター計測部１０の計測結果を手動で記録することを要さず、遠隔から空間５内の環境の変化をモニタリングすることができる。
【００４２】
［モニタリングプログラム］
図１〜図３に示した本実施形態に係るモニタリングシステム１が備える各構成要素は、中央演算処理装置（Ｃｅｎｔｒａｌ  Ｐｒｏｃｅｓｓｉｎｇ  Ｕｎｉｔ：ＣＰＵ）等の演算処理装置にプログラム（すなわち、モニタリングプログラム）を実行させること、つまり、ソフトウェアによる処理により実現できる。また、集積回路（Ｉｎｔｅｇｒａｔｅｄ  Ｃｉｒｃｕｉｔ：ＩＣ）等の電子部品としてのハードウェアにプログラムを予め書き込むことで実現することもできる。なお、ソフトウェアとハードウェアとを併用することもできる。
【００４３】
本実施形態に係るモニタリングプログラムは、例えば、ＩＣやＲＯＭ等に予め組み込むことができる。また、モニタリングプログラムは、インストール可能な形式、又は実行可能な形式のファイルで、磁気記録媒体、光学記録媒体、半導体記録媒体等のコンピュータで読み取り可能な記録媒体に記録し、コンピュータプログラムとして提供することもできる。プログラムを格納している記録媒体は、ＣＤ−ＲＯＭやＤＶＤ等の非一過性の記録媒体であってよい。更に、モニタリングプログラムを、インターネット等の通信ネットワークに接続されたコンピュータに予め格納させ、通信ネットワークを介してダウンロードによる提供ができるようにすることもできる。
【００４４】
本実施形態に係るモニタリングプログラムは、ＣＰＵ等に働きかけて、モニタリングプログラムを、図１〜図３にかけて説明した環境ファクター計測部１０、環境情報変換部１２、監視対象情報生成部１４、情報格納部１６、情報送信部１８、情報閲覧部２０、及びアラート通知部２２として機能させる。
【００４５】
以上、本考案の実施の形態を説明したが、上記に記載した実施の形態は実用新案登録請求の範囲に係る考案を限定するものではない。また、実施の形態の中で説明した特徴の組合せの全てが考案の課題を解決するための手段に必須であるとは限らない点に留意すべきである。
【００４６】
なお、本実施形態に係るモニタリングシステムは、実用新案登録請求の範囲と混同されるべきでない以下の付記項でも言及できる。
（付記項１）
所定の空間をモニタリングするモニタリングシステム用のモニタリングユニットであって、
無線を介し、前記空間の環境ファクターを計測する環境ファクター計測部が計測する前記環境ファクターを取得し、環境情報に変換する環境情報変換部と、
前記環境情報に、前記空間に固有のデータである空間固有データを付与し、監視対象情報を生成する監視対象情報生成部と、
前記監視対象情報を格納する情報格納部に、無線を介して前記監視対象情報を供給する情報送信部と
を備えるモニタリングユニット。
【符号の説明】
【００４７】
１  モニタリングシステム
２  ユーザ端末
３  モニタリングユニット
５  空間
７  クラウド環境
１０  環境ファクター計測部
１２  環境情報変換部
１４  監視対象情報生成部
１６  情報格納部
１８  情報送信部
２０  情報閲覧部
２２  アラート通知部
【図１】
0003223758.tif 000003
【図２】
0003223758.tif 000004
【図３】
0003223758.tif 000005